(57)【要約】【課題】磁束短絡量を極力小さくすることで高効率化を図ると共に強度的な面においても優れているＩＰＭモータ用回転子を提供する。【解決手段】回転軸芯と同芯に配置されるリング状の第１永久磁石１と、この第１永久磁石１の外周側に円周方向に沿って等ピッチで配置される極数分の円柱状の第２永久磁石２と、前記第２永久磁石２を内部に埋設するヨークと、を備え、第２永久磁石２は、前記ヨーク外周に形成されるＮ極とＳ極の間に配置される。第２永久磁石２は等方性磁石であることが好ましい。【選択図】図１
2011055584.tif 000002
【特許請求の範囲】
【請求項１】
外周面に複数の磁極を形成するヨークと、
回転軸芯と同芯に配置されるリング状の第１永久磁石と、
この第１永久磁石の外周側に円周方向に沿って等ピッチで配置される前記磁極と同数分の円柱状の第２永久磁石と、を備え、
前記第２永久磁石を、前記ヨーク内部に埋設するとともに、
前記複数の磁極のうち互いに隣接するＮ極とＳ極の間に配置されることを特徴とするＩＰＭモータ用回転子。
【請求項２】
前記第２永久磁石の回転軸芯に垂直な方向の断面形状は真円であることを特徴とする請求項１に記載のＩＰＭモータ用回転子。
【請求項３】
前記第２永久磁石は等方性磁石であることを特徴とする請求項１又は２に記載のＩＰＭモータ用回転子。
【請求項４】
前記第１永久磁石は等方性磁石であることを特徴とする請求項３に記載のＩＰＭモータ用回転子。
【請求項５】
前記第１永久磁石の外周面と第２永久磁石の外周面は接するように配置されることを特徴とする請求項１〜４のいずれか１項に記載のＩＰＭモータ用回転子。
【請求項６】
前記第２永久磁石のヨーク外周面側のヨークは切り欠かれていることを特徴とする請求項１〜５のいずれか１項に記載のＩＰＭモータ用回転子。
【請求項７】
前記切り欠かれた個所に樹脂をモールドしていることを特徴とする請求項６に記載のＩＰＭモータ用回転子。
【発明の詳細な説明】
【技術分野】
【０００１】
本発明は、永久磁石をヨークの内部に埋設した構造を有するＩＰＭモータ用回転子に関する。
【背景技術】
【０００２】
エアコンのコンプレッサーモータやブロアモータ等では、高速回転、高効率、かつ、低騒音という特性が要求され、永久磁石をヨークの内部に埋設した構造を有するＩＰＭ（Interior Permanent Magnet）モータが注目を浴びている。
【０００３】
かかる構造のＩＰＭモータは、ＳＰＭ（Surface Permanent Magnet ）モータに比べると、永久磁石を鉄ヨーク内部へ埋め込む構造であるため、接着不良による磁石剥離の問題がなく、構造信頼性が極めて高いものということができる。
【０００４】
一方で、上記構造のＩＰＭモータには、鉄ヨーク内部での磁束短絡ロスという問題がある。回転子内部における磁束の短絡分は、モータの出力に何ら寄与しないために、磁力を無駄にしていることになる。このことは、高効率のモータを提供する上で障害となる。
【０００５】
かかる問題を解決した技術として、下記特許文献１に開示される回転子（ロータ）が知られている。この回転子の構成を概念的に示したのが図１７である。図示するように、回転子１００は、鉄ヨーク１１０の内部に４つの板状の永久磁石１０１が埋設されている。永久磁石１０１の両端部には、空隙部として磁束短絡防止用穴１１１が形成されている。これにより、磁束短絡防止用穴１１１の部分に鉄ヨークが存在した場合に比べ、永久磁石１０１の両端部から発生する磁束の短絡量を最小限にとどめ、永久磁石１０１の端部の磁束をステータに有効に作用させることができる。その結果、高効率のモータを提供することが可能になる。
【先行技術文献】
【特許文献】
【０００６】
【特許文献１】特開平１１−９８７３１号公報
【発明の概要】
【発明が解決しようとする課題】
【０００７】
かかる構成を有する回転子の課題は次の通りである。すなわち、図１７にも示すように、磁束短絡防止用穴１１１と鉄ヨーク１１０の外周面１１０ａとは、わずかな連結部１１０ｂで連結されている。前記の永久磁石１０１の端部にて発生する磁束短絡量を極力小さくするためには、磁束短絡防止用穴１１１の端面をできるだけ外周面１１０ａに近接させるのがよい。鉄ヨーク１１０は、例えば、打ち抜き加工されたケイ素鋼板の薄板を積層させることで形成されるが、加工限界を考慮すれば、連結部１１０ｂの幅寸法は、０．３〜０．５ｍｍ程度のレベルとなる。
【０００８】
一方、図１７に示すような磁束短絡防止用穴１１１の形状は、連結部１１０ｂの幅寸法が急激に変化しているため、エッジ部分で応力集中が生じやすい。したがって、上記寸法レベルと相まって強度的な面で破損等の問題が生じやすい。
また、図１７に示す構成は、永久磁石１０１として板状のものを使用するため、磁気特性に優れた異方性磁石（例えば、Ｎｄ−Ｆｅ−Ｂ系焼結磁石）の使用が容易であり、高トルクを要求されるＩＰＭモータには適するものの、磁気回路を工夫する余地が少なく、特に、比較的磁気特性が低い等方性磁石を使用する構成としては、等方性磁石の本来有する特徴を効果的に発現できる構成とは言い難いものであった。
【０００９】
本発明は上記実情に鑑みてなされたものであり、その課題は、磁束短絡量を極力小さくすることで高出力化、および高効率化を図ると共に、強度的な面においても優れているＩＰＭモータ用回転子を提供することである。また、磁石の配置構成を工夫することで、形状の自由度や着磁の自由度など、等方性磁石が有する本来的な特徴を効果的に実現できるＩＰＭモータ用回転子を提供することである。
【課題を解決するための手段】
【００１０】
上記課題を解決するため本発明に係るＩＰＭモータ用回転子は、
外周面に複数の磁極を形成するヨークと、
回転軸芯と同芯に配置されるリング状の第１永久磁石と、この第１永久磁石の外周側に円周方向に沿って等ピッチで配置される前記磁極と同数分の円柱状の第２永久磁石とを備え、
前記第２永久磁石を前記ヨークの内部に埋設するとともに、
前記複数の磁極のうち互いに隣接するＮ極とＳ極の間に配置されることを特徴とするものである。
【００１１】
この構成による回転子は、回転軸芯と同芯に配置されるリング状の第１永久磁石を備えている。リング状に形成することで磁石の形状がシンプルとなり製造しやすくなるとともに、極異方性的な磁路の形成が容易になる。この第１永久磁石は、後に詳述する着磁によって、図１の矢印４０に示す方向に磁化される。また、第１永久磁石の外周側には、ヨーク外周面に形成される複数の磁極と同数分の、円柱状の第２永久磁石が配置される。この第２永久磁石は、前記ヨークに形成される複数の磁極のうち、互いに隣接するＮ極とＳ極の間、いわゆる極間（Ｎ極とＳ極が切り替わるゼロクロス部）に配置される。この第２永久磁石は、後に詳述する着磁によって、図１の矢印４０に示す方向、すなわち前記第１永久磁石と同じ方向に磁化される。ここで、第１永久磁石から発生する磁束が短絡しようとするところに、第１永久磁石の磁極と同一方向に磁化された第２永久磁石が近接配置されるので、第１永久磁石から発生する磁束が短絡することなく、有効にステータに導かれ、モータ出力として作用することができる。また、第２永久磁石から発生される磁束も、第一永久磁石によって磁束の短絡が回避されるとともに、ヨーク外周面の連結部の幅寸法を非常に狭くすることが可能となるため、この連結部を介して発生する磁束の短絡をも極力なくすようにすることができる。ここで、第２永久磁石は円柱状であるから、シンプルな形状であり容易に製造することができ、さらに、第２永久磁石は円柱状であるから、ヨークの外周面側と第２永久磁石の外周面との間隔が、徐々に変化するように構成できる。したがって、仮に特許文献１における連結部に相当する部分の最薄部を0.3〜0.5mmに形成したとしても、急激な形状の変化がないので応力集中が生じにくく、破損等の問題が生じない。その結果、磁束短絡量を極力小さくすることで高効率化を図ると共に、強度的にも優れたＩＰＭモータ用回転子を提供することができる。
【００１２】
本発明において、前記第２永久磁石の回転軸芯に垂直な方向の断面形状は真円であることが好ましい。円柱状に形成される第２永久磁石の上記断面形状は、例えば、楕円形、長円形などにすることができるが、真円形がシンプルであり、製造も容易であり、好ましい。
【００１３】
本発明において、前記第２永久磁石は等方性磁石であることが好ましい。等方性磁石は、製造過程で磁界中成形を行う必要がない。したがって、第２永久磁石をヨークに組み込む時に方向を気にしなくて良く、作業性が良好になる。その結果、低コストを実現することができる。
さらに前記第１永久磁石をも等方性磁石とすることによって、第１永久磁石、第２永久磁石およびヨークとを組み立ててから着磁することができるので、ヨークへの組立作業、着磁作業が一層良好になる。
【００１４】
本発明において、前記第１永久磁石の外周面と第２永久磁石の外周面は接するように配置されることが好ましい。
【００１５】
かかる配置構成とすることで、第１永久磁石と第２永久磁石の双方をシンプルな形状にすることができ、また、磁束短絡の防止も効率よく行うことができる。
【００１６】
本発明において、前記第２永久磁石のヨーク外周面側のヨークは切り欠かれていることが好ましい。これにより、ヨークの薄肉部分をなくすことができ、磁束短絡量をより少なくすることができる。さらに、薄肉連結部における破損等の問題も回避することができる。
【００１７】
本発明において、前記切り欠かれた箇所に樹脂をモールドしていることが好ましい。これにより、切り欠かれた箇所を樹脂で埋めることができ、第２永久磁石の保持を確実に行うことができる。
【図面の簡単な説明】
【００１８】
【図１】第１実施形態に係るＩＰＭモータ用回転子の構成を示す図
【図２】図１に示す４極ロータを組み込んだモータを示す模式的な斜視図
【図３】図１に示す４極ロータの斜視図
【図４】図１に示す４極ロータを組み込んだモータを示す断面模式図
【図５】図４において磁化ベクトルを重ねて示した図
【図６】第２実施形態に係るＩＰＭモータ用回転子の構成を示す図
【図７】第３実施形態に係るＩＰＭモータ用回転子の構成を示す図
【図８】図７に示す４極ロータを組み込んだモータを示す模式的な斜視図
【図９】図８において磁化ベクトルを重ねて示した図
【図１０】第３実施形態において回転シャフトを挿入し樹脂でモールドした状態を示す断面模式図
【図１１】比較例１に係るＩＰＭモータ用回転子の構成を示す図
【図１２】比較例１における磁化ベクトルを示す図
【図１３】比較例２に係るＩＰＭモータ用回転子の構成を示す図
【図１４】比較例２における磁化ベクトルを示す図
【図１５】比較例３に係るＩＰＭモータ用回転子の構成を示す図
【図１６】比較例３における磁化ベクトルを示す図
【図１７】従来技術に係るＩＰＭモータ用回転子の構成を示す図
【図１８】従来技術に係るＩＰＭモータ用回転子の構成を示す図
【図１９】従来技術における磁化ベクトルを示す図
【発明を実施するための形態】
【００１９】
本発明に係るＩＰＭモータ用回転子の好適な実施形態を、図面を用いて説明する。本発明に係るＩＰＭモータは、トルクを重視するタイプのモータではなく、特に１００００ｒｐｍ以上の高速回転が要求される高速モータの効率を高めることを目的としている。かかるＩＰＭモータは、エアコンのコンプレッサ・モータやブロア・モータ等に好適である。
【００２０】
ＩＰＭモータ用回転子は、ロータ内部に永久磁石を埋め込む形で配置を行う。永久磁石を埋め込むため、ＳＰＭと比較して接着不良等で永久磁石が剥離するという問題がなく、構造信頼性が高い。また、鉄心に突極性を持たせる（磁束を通しやすい磁路を設ける）ことでリラクタンス・トルクを発生させ、これをマグネット・トルクに重畳させることができる。したがって、特に１００００ｒｐｍ以上の高速回転が要求される高速モータの効率を高める点において有利である。
【００２１】
＜第１実施形態＞
図１は、第１実施形態に係るＩＰＭモータ用回転子を示し、具体的には、４極ロータ（ヨーク外周面に４極の磁極を形成した構成）の断面模式図を示す。図２は、図１に示す４極ロータを組み込んだモータを示す模式的な斜視図である。図３は、図１に示す４極ロータの斜視図である。図４は、図１に示す４極ロータを組み込んだモータを示す断面模式図である。図５は、図４において、磁化ベクトルを重ねた図である。
【００２２】
図１に示すように、ロータ（回転子）Ｒは、紙面に垂直方向な回転軸芯Ｃと同芯に配置されるリング状の第１永久磁石１と、この第１永久磁石１の外周側に円周方向に沿って等ピッチ（図１の場合９０°）で配置されるヨーク外周面に形成される複数の磁極と同数分（図１の場合４）の円柱状の第２永久磁石２を備えている。第１永久磁石１の外周部には、円弧状の凹部１ａが形成されており、そこに第２永久磁石２の外周部が一部嵌まり込むように配置される。
【００２３】
第１永久磁石１はリング状であり、第２永久磁石２は円柱状である。したがって、形状が極めてシンプルであり、製造コストを抑制することができる。
【００２４】
ヨーク（鉄心）は、外側ロータ鉄心１０と内側ロータ鉄心１２により構成される。これらヨーク（鉄心）は、例えば、打ち抜き加工された薄板のケイ素鋼板の積層体から構成される。積層されたケイ素鋼板は、例えば、かしめピンにより一体結合することで積層体とすることができる。
【００２５】
図４等に示すように、例えばステータ（固定子）ＳＴは、ロータ（回転子）Ｒの外周を囲むように配置されており、ロータ（回転子）Ｒの外周に向かって６つのティース２０が等ピッチ（６０°間隔）で配置される。ティース２０の先端部２０ａは、幅広に形成される。各ティース２０には、コイル２１が巻き付けられる（図２参照）。
【００２６】
円柱状の第２永久磁石２は、図１に示すように前記ヨークの外周面、すなわち外側ロータ鉄心１０の外周に形成される複数の磁極のうち、互いに隣接するＮ極とＳ極の極間に配置される。また、第１永久磁石１と第２永久磁石２は、後に詳述する着磁によって図１の矢印４０に示す同じ方向に磁化される。すなわち、第１永久磁石１から発生する磁束が短絡しようとするところに第１永久磁石１の磁極と同磁極の第２永久磁石２が近接配置される。したがって、ロータの隣り合う異極に磁束が流れ、磁束が短絡しようとするところに配置されるので、磁束の短絡を極力なくすようにすることができ、第１永久磁石から発生する磁束を有効にステータに作用させることができる。その結果、高出力で、尚且つ高効率なモータを実現することができる。
【００２７】
第２永久磁石２の外周面と、外側ロータ鉄心１０の外周面との間には、幅の小さな連結部１０ａが形成される。外側ロータ鉄心１０をケイ素鋼板の打ち抜き加工で形成する場合、連結部１０ａの幅は０．３ｍｍ程度まで狭めることができる。この場合でも、第２永久磁石２は断面が円形であるため、連結部１０ａの幅寸法の変化は徐々に変化するように形成することができる。したがって、応力集中の問題が生じにくくなり、所望の強度を確保することができる。
【００２８】
まず、第１永久磁石１と第２永久磁石２については、磁石単体成形により予め図示するような形状に成形する。なお、磁石単体成形時には磁化配向は行わない。第１永久磁石１、第２永久磁石２、外側ロータ鉄心１０および内側ロータ鉄心１２とを組み合わせ、回転子を組み立てた後の着磁によって磁化配向する。したがって、第２永久磁石２をヨークに組み込む際に方向を気にする必要がなく、作業性が良好になる。等方性磁石の具体例としては、飽和磁化の高いα−Ｆｅ系の軟磁性相を含むＮｄ−Ｆｅ−Ｂ系ナノコンポジット磁石（例えば、日立金属株式会社製  ＳＰＲＡＸ（登録商標））、Ｒ−Ｂ−Ｂ系ボンド磁石  Ｓｍ−Ｆｅ−Ｎ系磁石などが例示される。特性としては、Ｂｒ≧０．８Ｔが好ましい。第１永久磁石１についても同様の材質で形成することができる。第１永久磁石１と第２永久磁石２とは、同じ材質でもよく違う材質でもよい。前記第１永久磁石１と第２永久磁石２を同じ材質の等方性磁石とすれば、第１永久磁石、第２永久磁石およびヨークとを組み立ててから着磁することができるので、ヨークへの組立作業、着磁作業が一層良好になる。なお、材質の選択に関しては、他の実施形態も同様である。また、外側ロータ鉄心１０と内側ロータ鉄心１２は、ケイ素鋼板ではなく、純鉄粉などの金属磁性粉末と樹脂を混合し、成形・熱硬化した圧粉磁心で構成してもよい。
【００２９】
ロータ（鉄心）Ｒの製造方法について説明する。第１永久磁石１は、極異方性の焼結リング磁石またはラジアル異方性の焼結リング磁石であってもよいが、等方性リング磁石が好ましい。等方性リング磁石は、製造過程で磁界中成形にて磁化配向をする必要がない。外側ロータ鉄心１０と内側ロータ鉄心１２については、ケイ素鋼板の積層体として予め組み立てておく。次に、外側ロータ鉄心１０と内側ロータ鉄心１２に対して第１・第２永久磁石１，２を組み込む。この組み込み時において、永久磁石の材質として等方性磁石を用いているので、方向性がなく組み込みが行える。したがって、組み立てが容易になり、コスト低減に寄与することができる。第１・第２永久磁石１，２を鉄心に組み込んだ後、着磁が行われる。着磁方法は公知の方法でよい。着磁の方法は、たとえば、第１・第２永久磁石１，２を鉄心に組み込んだ後、所望の磁極数に応じた鉄ヨークとコイルとで構成された着磁コイルに電流を印加して一体的に着磁する。ここで、第１永久磁石に極異方性磁石を用いた場合、第１永久磁石には凹部を形成することで磁化方向を誤りなく組立を行うことができる。
【００３０】
図５は、図４において磁化ベクトル３０を重ねて図示している。第１永久磁石１と第２永久磁石２が接している近傍を見れば分かる通り、磁束の短絡が抑制されていることが理解できる。
図５の１０ａ部では、磁化ベクトル３０が集中して磁気飽和を生じている様子を示している。これに対して、第１永久磁石１と第２永久磁石２が近接している近傍では磁化ベクトル３０の集中が見られず、磁束の短絡が抑制されていることが理解できる。
【００３１】
＜第２実施形態＞
図６は、第２実施形態に係るＩＰＭモータ用回転子の構成を示す図である。第１実施形態では、４極ロータの構成を示したが、第２実施形態では８極ロータの構成を示す。８極である点以外の構成については、第１実施形態と同じである。本発明において、極数については特定の数値に限定されるものではない。
【００３２】
＜第３実施形態＞
図７は、第３実施形態に係るＩＰＭモータ用回転子の構成を示す図である。第１実施形態と同じく４極ロータである。異なる点を中心に説明する。第１実施形態の場合、第２永久磁石２のヨーク外周面側にはヨーク連結部１０ａが存在していたが、この第３実施形態では第２永久磁石２のヨーク外周面側にヨークがなく切り欠き部２ｂが形成される。すなわち、空隙部となっている。また、外側ロータ鉄心１０には第２永久磁石２の近傍に貫通孔１１が形成されている。
【００３３】
図８は、図７に示す４極ロータを組み込んだモータを示し、図９は、図８において磁化ベクトル３０を重ねて示した図である。第１永久磁石１と第２永久磁石２が接している近傍を見れば分かる通り、図７の２ｂ部は切り欠きとなっているため、磁束の短絡が生じていない。また、第１実施形態と同様に、第１永久磁石１と第２永久磁石２が近接している近傍では磁化ベクトルの集中が見られず、磁束の短絡が抑制されていることが理解できる。
【００３４】
図１０は、第３実施形態に係るＩＰＭモータ用回転子の構成を示す組み立て断面図である。外側ロータ鉄心１０と内側ロータ鉄心１２の軸方向両側に側板部１３ｃが形成される様に樹脂モールドによりインサート成型で形成される。外側ロータ鉄心１０には、貫通孔１１が形成されており、この貫通孔１１の内部にもモールド１３ａを充填させる。さらに、第１実施形態において連結部１０ａに相当する箇所に切り欠き２ｂが形成されており、この部分にもモールド１３ｂが充填される。これにより、モールド１３ａ，１３ｂと軸方向両側の側板部１３ｃが一体的に連結される。第１永久磁石、第２永久磁石、外側ロータ鉄心および内側ロータ鉄心を全て樹脂モールドで固めることで、鉄心と永久磁石を強固に一体化することができる。回転軸１４は樹脂モールドの前、または後に、内側ロータ鉄心１２の中心に圧入等の方法により固定される。
【００３５】
＜比較例の構成＞
次に、比較例１の構成について説明する。図１１は、第１実施形態において第２永久磁石を省いた状態の構成を示す。省いた領域は空隙部としている。図１２は、比較例１における磁化ベクトルを示す図である。第１実施形態の図５と比較すると分かるように、凹部１ａと連結部１０ａの双方で磁束の短絡が見られ、ステータＳＴ内の磁束の大きさも小さくなっている。したがって、効率の面で本発明の構成よりも劣ることが分かる。
【００３６】
次に、比較例２の構成について説明する。図１３は、第１実施形態において第１永久磁石を省いた状態の構成を示す。省いた領域は空隙部としている。図１４は、比較例２における磁化ベクトルを示す図である。やはり、連結部１０ａで磁束の短絡が見られ、ステータＳＴ内の磁束の大きさも小さくなっている。したがって、効率の面で本発明の構成よりも劣ることが分かる。
【００３７】
次に、比較例３の構成について説明する。図１５は、第１実施形態において第１永久磁石を省くと共に、第２永久磁石２以外の領域は鉄心としている。図１６は、比較例３における磁化ベクトルを示す図である。この図からも分かるように、連結部１０ａで磁束の短絡が見られ、ステータＳＴの方に流れる磁束がほとんどなく、モータとして機能しないことが分かる。
【００３８】
次に、比較例４の構成について説明する。図１８は、図１７の回転子を用いている。図１９は、比較例４による磁化ベクトルを示す図である。この図からも分かるように、１１０ｂ部で磁束の短絡が見られ、ステータＳＴの方に流れる磁束が本発明の第１実施形態と比べ少なく、モータとしての機能が本発明の第１実施形態に劣っていることが分かる。
【００３９】
＜別実施形態＞
本実施形態において、第１永久磁石を極異方性着磁とすることで、内側ロータ鉄心１２のバックヨークとしての機能は弱まるため、内側ロータ鉄心１２は、強度的な面で問題なければ樹脂モールドにより形成してもよい。この場合、回転軸１４と一体成型することが好ましい。これにより、ロータ（回転子）Rの重量を軽くすることができ、イナーシャ（慣性モーメント）を小さくすることができる。
【００４０】
本実施形態において、リング状の第１永久磁石１の凹部１ａを形成して第２永久磁石２をはめ込む形にしているが、凹部１ａを形成せずに、第１永久磁石１の外周に第２永久磁石２が接するように配置してもよい。この場合は、第１永久磁石１が完全なリング形状になる。
【符号の説明】
【００４１】
１        第２永久磁石
１ａ      凹部
２        第１永久磁石
２ｂ      切り欠き
１０      外側ロータ鉄心
１１      貫通孔
１２      内側ロータ鉄心
２０      ティース
３０      磁化ベクトル
４０      磁化方向
ＳＴ      ステータ（固定子）
Ｒ        ロータ（回転子）
１００    回転子
１０１    永久磁石
１１０    鉄ヨーク
１１０ａ  鉄ヨーク外周面
１１０ｂ  鉄ヨーク連結部
１１１    磁束短絡防止用穴
【図１】
2011055584.tif 000003
【図２】
2011055584.tif 000004
【図３】
2011055584.tif 000005
【図４】
2011055584.tif 000006
【図５】
2011055584.tif 000007
【図６】
2011055584.tif 000008
【図７】
2011055584.tif 000009
【図８】
2011055584.tif 000010
【図９】
2011055584.tif 000011
【図１０】
2011055584.tif 000012
【図１１】
2011055584.tif 000013
【図１２】
2011055584.tif 000014
【図１３】
2011055584.tif 000015
【図１４】
2011055584.tif 000016
【図１５】
2011055584.tif 000017
【図１６】
2011055584.tif 000018
【図１７】
2011055584.tif 000019
【図１８】
2011055584.tif 000020
【図１９】
2011055584.tif 000021